(57)【要約】【課題】蓋体を小型化しつつ、蓋体を収納室に枢支する枢軸を、収納室の内側に向けてガタ付くことを防ぐ。【解決手段】デジタルカメラは、電池収納室1と、該電池収納室1に被さる蓋体2と、収納室1と蓋体2を枢支連結する枢軸5と、枢軸5の先端部と蓋体2との間に介挿される円錐バネ7を具え、該枢軸5は円錐バネ7によって、電池収納室1の外向きに付勢されている。また、枢軸5の基端部は、抜止め部51を形成し、該抜止め部51は収納室1の側壁10に開設された凹面13内に嵌まって、収納室1内への突出を規制されている。【選択図】図３
2007223612.tif 000002
【特許請求の範囲】
【請求項１】
収納室と、収納室に被さる蓋体と、収納室と蓋体を枢支連結する枢軸と、枢軸の先端部と蓋体との間に介挿されるバネ体を具え、該枢軸はバネ体によって、収納室の外向きに付勢されていることを特徴とする蓋体の枢支構造。
【請求項２】
枢軸の基端部は、抜止め部を形成し、該抜止め部は収納室の側壁に開設された凹面内に嵌まって、収納室内への突出を規制されている、請求項１に記載の枢支構造。
【請求項３】
蓋体と枢軸の先端部との間には、収納室に固定された受け部材が位置し、バネ体は円錐バネであって、枢軸の先端部と受け部材との間に介挿されている、請求項１又は請求項２に記載の枢支構造。
【請求項４】
請求項１乃至３の何れかに記載の蓋体の枢支構造を具えた電気機器。
【発明の詳細な説明】
【技術分野】
【０００１】
本発明は、蓋体の枢支構造、具体的には、電池収納室に被さる蓋体を枢支したデジタルカメラ等の電気機器に関する。
【背景技術】
【０００２】
図５は、出願人が以前提案したデジタルカメラのキャビネット(６)の斜視図である。キャビネット(６)上には、電池収納室(１)に被さる蓋体(２)が枢支されている(例えば、特許文献１参照)。該枢支構造には種々のものがあり、図６に示すように、電池収納室(１)の側壁(10)に枢軸(５)を加締め、該枢軸(５)を蓋体(２)に通す構造がある。また、図７に示すように、蓋体(２)と側壁(10)に枢軸(５)を通し、該枢軸(５)の先端部にＥリング、スナップリング等の留め輪(８)を嵌めて、抜け止めとしているものもある。
【０００３】
【特許文献１】特開２００２−１６６９５３号公報
【発明の開示】
【発明が解決しようとする課題】
【０００４】
１．電池収納室(１)の側壁(10)に枢軸(５)を加締める構造では、加締強度を保つため、枢軸(５)の径が太くなり、蓋体(２)の小型化に適さない問題がある。また、枢軸(５)の先端部を蓋体(２)に嵌める際に、蓋体(２)を撓ませる必要があり、蓋体(２)の変形を生じやすい問題もある。これを回避するには、蓋体(２)を分割した構成とする必要があり、構造が複雑となる。
２．枢軸(５)の先端部に留め輪(８)を嵌める構造では、留め輪(８)を枢軸(５)に嵌めるのに軸方向にガタが必要となる。従って、枢軸(５)が電池収納室(１)内で該ガタ分だけ内側横向きに動くから、電池収納室(１)内の電池(図示せず)と枢軸(５)が接触しやすく、該接触を防ぐためには、電池収納室(１)の横幅を広げる必要がある。即ち、電池収納室(１)の小型化に支障となっていた。
本発明の目的は、蓋体を小型化しつつ、蓋体を収納室に枢支する枢軸を、収納室の内側に向けてガタ付くことを防ぐことにある。
【課題を解決するための手段】
【０００５】
本発明の蓋体の枢支構造は、収納室(１)と、収納室(１)に被さる蓋体(２)と、収納室(１)と蓋体(２)を枢支連結する枢軸(５)と、枢軸(５)の先端部と蓋体(２)との間に介挿されるバネ体を具え、該枢軸(５)はバネ体によって、収納室(１)の外向きに付勢されている。
また、枢軸(５)の基端部は、抜止め部(51)を形成し、該抜止め部(51)は収納室(１)の側壁(10)に開設された凹面(13)内に嵌まって、収納室(１)内への突出を規制されている。
【発明の効果】
【０００６】
１．本発明にあっては、枢軸(５)をバネ体によって外向きに付勢するのであり、収納室(１)に加締める必要はないから、枢軸(５)は小径でもよい。これにより、蓋体(２)の小型化を図ることができる。また、枢軸(５)は収納室(１)の内側から蓋体(２)に嵌めればよく、枢軸(５)の取付け作業性がよい。
２．枢軸(５)はバネ体によって、収納室(１)の外側に付勢されており、枢軸(５)はガタ付かない。従って、収納室(１)内の収納物、具体的には電池と枢軸(５)が接触することはなく、収納室(１)の小型化を図ることができる。
【発明を実施するための最良の形態】
【０００７】
以下、本発明の一実施例を図を用いて詳述する。
図１(a)は、本例に於ける電気機器の蓋体(２)を開いた状態の正面図、(b)はその裏面図である。また、図２は図１(a)の構成部品の分解正面図である。これはデジタルカメラの電池収納室(１)を覆う蓋体(２)に関する。蓋体(２)の裏面には、金属板からなる回動部材(３)が設けられ、該回動部材(３)から一対の脚片(30)(30)が下向きに延びている。該脚片(30)は電池収納室(１)の側壁(10)(10)に接する。電池収納室(１)の背面には、金属板を折曲して形成される受け部材(４)が接着等によって固定され、該受け部材(４)の両端部から正面に向かって受け板(40)(40)が延びている。該受け板(40)は回動部材(３)の脚片(30)(30)の外側に位置して、脚片(30)(30)に間隔を設けて対向する。側壁(10)には枢軸(５)が嵌められて、該枢軸(５)は脚片(30)及び受け板(40)を貫通し、蓋体(２)は枢軸(５)を中心に回動して開閉する。
【０００８】
図３は、一方、具体的には左側の枢軸(５)の近傍の拡大断面図であり、図４は、その分解図である。枢軸(５)は先端部に凹み(50)を形成し、受け板(40)と凹み(50)との間には、円錐バネ(７)が設けられている。円錐バネ(７)の一端部は凹み(50)に嵌まり、他端部は受け板(40)に接している。円錐バネ(７)は枢軸(５)の先端部に向かって径が小さくなっており、枢軸(５)を図３のＸ方向、即ち電池収納室(１)に対して外向きに付勢している。以下の記載では、図３のＸ方向を前方、逆方向を後方と呼ぶ。
枢軸(５)の基端部は、後方に向けて広がったテーパ状の抜止め部(51)を形成しており、電池収納室(１)の側壁(10)には、貫通孔(11)が開設されている。貫通孔(11)は丸孔であるストレート部(12)と抜止め部(51)に対応したテーパ状の凹面(13)を有している。抜止め部(51)が凹面(13)に嵌まって、枢軸(５)が円錐バネ(７)によって前方に付勢された状態で、抜止め部(51)の後端面Ｍは、電池収納室(１)の側壁(10)の内面と略同一面内に位置する。これにより、抜止め部(51)は電池収納室(１)の内側に突出せず、電池収納室(１)に電池(図示せず)を収納する際の邪魔とはならない。
【０００９】
蓋体(２)を枢軸(５)を中心として回動させると、脚片(30)も回動する。しかし、円錐バネ(７)は脚片(30)から離れた受け板(40)に接しており、脚片(30)と円錐バネ(７)が擦れることはない。これにより、蓋体(２)はスムーズに開閉回動することができる。
【００１０】
電池収納室(１)に枢軸(５)と円錐バネ(７)を取り付けるには、図４に示すように、先ず電池収納室(１)の側壁(10)の外側に、回動部材(３)の脚片(30)を対向させる。脚片(30)には枢軸(５)が貫通する第１透孔(31)が開設され、該第１透孔(31)が凹面(13)に対向する。前記の如く、電池収納室(１)には受け部材(４)が固定されており、受け部材(４)の受け板(40)には、第１透孔(31)に対向する第２透孔(41)が開設されている。
電池収納室(１)の内側から、枢軸(５)を嵌めて前進させる。枢軸(５)は凹面(13)、第１透孔(31)、第２透孔(41)を通って、凹み(50)が受け板(40)の外側に突出する。抜止め部(51)が凹面(13)に嵌まると、枢軸(５)の前進が完了する。
この状態で、円錐バネ(７)の大径部を後方に向けて、枢軸(５)の先端部の外側から、円錐バネ(７)を枢軸(５)に嵌める。円錐バネ(７)は後側が大径部であるから、枢軸(５)の先端部に楽に嵌まり、小径部が枢軸(５)の凹み(50)に嵌まれば、円錐バネ(７)の枢軸(５)への取り付けが完了する。即ち、円錐バネ(７)の前端部が、凹み(50)に嵌まればよく、枢軸(５)への取り付けが簡単である。尚、枢軸(５)の先端面がテーパ面であるから、円錐バネ(７)の小径部は更に楽に挿入できる。
【００１１】
本例の効果
１．本例にあっては、枢軸(５)を電池収納室(１)の側壁(10)に加締める必要はないから、枢軸(５)は小径でもよい。これにより、蓋体(２)の小型化を図ることができる。また、枢軸(５)は電池収納室(１)の内側から蓋体(２)に嵌めればよく、枢軸(５)の取付け作業性がよい。
２．枢軸(５)は円錐バネ(７)によって前方、即ち電池収納室(１)の外側に付勢されており、枢軸(５)はガタ付かない。従って、電池収納室(１)内の電池と枢軸(５)が接触することはなく、電池収納室(１)の小型化を図ることができる。特に、本例では、枢軸(５)の後端面Ｍが電池収納室(１)の側壁(10)の内面と略同一面内に位置しており、電池収納室(１)の小型化に寄与している。
【００１２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
以下の記載では、収納室(１)として電池を収納する電池収納室を例示したが、これには限定されない。また、電気機器としてデジタルカメラを例示したが、蓋体を具えた電気機器であればよく、デジタルカメラに限定されない。
【００１３】
また、枢軸(５)を外向きに付勢するのは、円錐バネ(７)だけでなく、図８に示すように、先端部が先細となった一部が円錐バネであるバネ(70)でもよい。また、該バネ(70)は枢軸(５)に挿入し易いように、図９に示すように、楕円形であってもよい。
【図面の簡単な説明】
【００１４】
【図１】(a)は、電気機器の蓋体を開いた状態の正面図、(b)はその裏面図である。
【図２】図１(a)の構成部品の分解正面図である。
【図３】左側の枢軸の近傍の拡大断面図である。
【図４】図３の分解図である。
【図５】出願人が以前提案したデジタルカメラのキャビネットの斜視図である。
【図６】従来の蓋体の取付け構造を示す正面図である。
【図７】従来の蓋体の取付け構造を示す正面図である。
【図８】別のバネ体を示す図である。
【図９】別のバネ体を図８のＸ方向から見た図である。
【符号の説明】
【００１５】
(１)  電池収納室
(２)  蓋体
(５)  枢軸
(７)  円錐バネ
(10)  側壁
(13)  凹面
(51)  抜止め部
【図１】
2007223612.tif 000003
【図２】
2007223612.tif 000004
【図３】
2007223612.tif 000005
【図４】
2007223612.tif 000006
【図５】
2007223612.tif 000007
【図６】
2007223612.tif 000008
【図７】
2007223612.tif 000009
【図８】
2007223612.tif 000010
【図９】
2007223612.tif 000011